(57)【要約】【課題】複数のロックレバーを筐体側の受け部に積極的に押圧して筐体を完全に密閉する。【解決手段】扉のハンドル１２を回動操作することにより、これに連動してロックバー２５を扉の背面の側部に沿って駆動し、扉の背面各箇所の各ケース２２内で各スライダー２３をスライドさせて、このスライドにより各ロックレバー２４の一方の側部を押圧案内するとともに、各ロックレバー２４の他方の側部を筐体側の受け部３２１に向けて押圧回動し、筐体側の受け部３２１に対して圧接する。【選択図】図１
2010196425.tif 000002
【特許請求の範囲】
【請求項１】
扉の背面で回動側の側部又は当該側部及び当該側部に隣り合う端部の複数個所にロック部材が配置され、扉の正面に取り付けられたハンドルの操作に連動して前記各ロック部材に連結されたロックバーを扉の背面の側部又は当該側部及び端部に沿って進退駆動することにより、前記各ロック部材を筐体側の受け部に対して係合離脱する形式の多点締め込み方式ロック装置において、
前記各ロック部材は、
扉の背面の側部又は当該側部及び端部に、当該各部の延びる方向に両端を向けて設置固定されるケースと、
前記ケース内に当該ケースの一端と他端との間をスライド可能に配置されるスライダーと、
前記ケースの一側部に当該一側部と平行な軸を介して枢支され、当該軸回りを、一方の側部が当該ケース内に向けて他方の側部が筐体側の受け部に向けて回動可能に取り付けられるロックレバーとを備え、
前記スライダーに前記ロックバーが連結されて、
前記ハンドルの操作により前記ロックバーを介して前記スライダーをスライドさせ、このスライダーと前記ロックレバーの一方の側部との係合により前記ロックレバーを回動案内して、他方の側部を筐体側の受け部に圧接する、
ことを特徴とする多点締め込み方式ロック装置。
【請求項２】
スライダーは先端に傾斜面状のガイドを有し、ケースの他側部に前記スライダーのスライド方向に向けてガイド穴が形成されて、当該ガイド穴を通じて前記スライダーとロックバーが連結される請求項１に記載の多点締め込み方式ロック装置。
【請求項３】
ロックレバーを常態においてケース内に向けて回動付勢するばね手段を備える請求項１又は２に記載の多点締め込み方式ロック装置。
【請求項４】
扉の背面側部に設置固定され、ロックバーの周囲を取り囲み可能に断面逆Ｕ字形の溝を有し、ロックバーの進退方向を案内するロックバーガイドを備える請求項１乃至３のいずれかに記載の多点締め込み方式ロック装置。
【請求項５】
ロック部材のケース、スライダー、ロックレバー、ロックバーはそれぞれ、扉の左右側部のいずれにも選択的に取付可能に左右対称に又は左右方向を反転して使用可能に形成される請求項１乃至４のいずれかに記載の多点締め込み方式ロック装置。
【請求項６】
ハンドルは、扉の正面側部に切り欠き形成されるハンドル取付口に嵌め込み固定可能に形成され、扉の正面側と背面側とを連通する開口部を有する本体ケースと、前記本体ケースに嵌合可能に形成され、一端が前記本体ケースに扉の正面と平行な軸を介して枢支されて、前記本体ケース上で扉の正面に対して直角な面内において所定の倒伏位置と所定の引き起こし位置との間を回動可能なハンドルと、前記ハンドルと同軸上に枢支されて、前記本体ケースの開口部を通じて扉の背面側に延び、扉の背面側と正面側との間を前記ハンドルと一体的に回動可能な作動レバーと、略Ｌ字形の断面形状を有し、前記本体ケースの一側部で扉の背面側となる縁部付近に前記断面形状の略中間部を前記ハンドルの軸に対して直角の軸を介して枢支されて、当該軸周りを、一方の側部が前記作動レバーに向けて他方の側部が筐体側の受け部に向けて回動可能に取り付けられ、かつばね手段を介して常態において一方の側部が前記作動レバーを押圧可能に回動付勢されるロックレバーと、前記本体ケースに前記ハンドルの回動端に係脱可能に設けられ、前記ハンドルを所定の倒伏位置に保持するストッパーと、前記本体ケースに前記ハンドルの軸を介して枢支され、前記本体ケースの開口部を通じて扉の背面側に延び、扉の背面側と正面側との間を前記ハンドルと一体的に回動可能なカム部材、及び前記カム部材に当該カム部材の回動を直線運動に変換可能に軸支され、扉の背面側部に沿って直線的に進退可能なスライドバーとを備え、
各ロック部材のロックバーが前記スライドバーに連結される請求項１乃至５のいずれかに記載の多点締め込み方式ロック装置。
【発明の詳細な説明】
【技術分野】
【０００１】
本発明は多点締め込み方式ロック装置に関し、特に、電気機器、電子機器その他各種の機器を収納するラックなどに使用する多点締め込み方式ロック装置に関する。
【背景技術】
【０００２】
通常、電気機器、電子機器などのラックは、扉、筐体の左右いずれか一方の側部にヒンジ部材が装着されて、これらヒンジ部材により扉が筐体に回転可能に取り付けられ、扉の他方の側部の正面側にハンドルが装着されるとともに、背面側にロックレバーがハンドルと連動して回動可能に配設される。このようにして扉はヒンジ部材を介して筐体の開口面に開閉可能に連結され、扉を閉めたときに、ハンドルを回してロックレバーを筐体側の受部に迫り合い係合させて、扉と筐体との間に介在されたパッキングを締め込み圧縮するようになっている。また、この種のロックハンドルでは、扉側のロックレバーと筐体側の受部の迫り合い係合を十分にして、パッキングを必要十分に圧縮するため、多点締め込み方式を採用したものがある。この方式は、扉のハンドルの背面の回動側の一辺又は三辺の複数個所に亘ってロックレバーその他のロック部材がロックバーなどを介して、筐体側の受け部に係脱可能に設けられ、これらのロック部材がハンドルに作動連結されて、ハンドルの回動操作によりロックレバーとともにすべてのロック部材が筐体側の受け部に対して係脱可能に構成され、この多点締め込みにより、扉と筐体との間に介在されたパッキングが扉の背面の回動側の一辺又は三辺の全長に亘って略均等に必要十分に圧縮変形され、回転操作点が１箇所でありながら、安定した高い密閉性能で扉を締め付けることができる。かかる扉用ロックハンドル、及び多点締め込み方式ロック装置は例えば特許文献１などに記載されている。
【先行技術文献】
【特許文献】
【０００３】
【特許文献１】特開平６−３３６８６４号公報
【発明の概要】
【発明が解決しようとする課題】
【０００４】
しかしながら、上記従来の多点締め込み方式ロック装置では、ハンドルの回動操作により複数のロック部材を扉の背面と略平行に移動するため、各ロック部材を筐体側の受け部に対し積極的に押圧させて、筐体を完全に密閉することが難しく、扉と筐体に高度の密閉性が要求される場合に対応できない、という問題がある。
【０００５】
本発明は、このような従来の問題を解決するもので、この種の多点締め込み方式ロック装置において、複数のロックレバーを筐体側の受け部に対して積極的に押圧させて、筐体を完全に密閉すること、を目的とする。
【課題を解決するための手段】
【０００６】
上記目的を達成するために、本発明の多点締め込み方式ロック装置は、扉の背面で回動側の側部又は当該側部及び当該側部に隣り合う端部の複数個所にロック部材が配置され、扉の正面に取り付けられたハンドルの操作に連動して前記各ロック部材に連結されたロックバーを扉の背面の側部又は当該側部及び端部に沿って進退駆動することにより、前記各ロック部材を筐体側の受け部に対して係合離脱する形式の多点締め込み方式ロック装置において、前記各ロック部材は、扉の背面の側部又は当該側部及び端部に、当該各部の延びる方向に両端を向けて設置固定されるケースと、前記ケース内に当該ケースの一端と他端との間をスライド可能に配置されるスライダーと、前記ケースの一側部に当該一側部と平行な軸を介して枢支され、当該軸回りを、一方の側部が当該ケース内に向けて他方の側部が筐体側の受け部に向けて回動可能に取り付けられるロックレバーとを備え、前記スライダーに前記ロックバーが連結されて、前記ハンドルの操作により前記ロックバーを介して前記スライダーをスライドさせ、このスライダーと前記ロックレバーの一方の側部との係合により前記ロックレバーを回動案内して、他方の側部を筐体側の受け部に圧接する、ことを要旨とする。
そして、このロック装置は、さらに次のような構成を備えることが好ましい。
（１）ロックレバーを常態においてケース内に向けて回動付勢するばね手段を備える。
（２）スライダーは先端に傾斜面状のガイドを有し、ケースの他側部に前記スライダーのスライド方向に向けてガイド穴が形成されて、当該ガイド穴を通じて前記スライダーとロックバーが連結される。
（３）扉の背面側部に設置固定され、ロックバーの周囲を取り囲み可能に断面逆Ｕ字形の溝を有し、ロックバーの進退方向を案内するロックバーガイドを備える。
（４）ロック部材のケース、スライダー、ロックレバー、ロックバーはそれぞれ、扉の左右側部のいずれにも選択的に取付可能に左右対称に又は左右方向を反転して使用可能に形成される。
（５）ハンドルは、扉の正面側部に切り欠き形成されるハンドル取付口に嵌め込み固定可能に形成され、扉の正面側と背面側とを連通する開口部を有する本体ケースと、前記本体ケースに嵌合可能に形成され、一端が前記本体ケースに扉の正面と平行な軸を介して枢支されて、前記本体ケース上で扉の正面に対して直角な面内において所定の倒伏位置と所定の引き起こし位置との間を回動可能なハンドルと、前記ハンドルと同軸上に枢支されて、前記本体ケースの開口部を通じて扉の背面側に延び、扉の背面側と正面側との間を前記ハンドルと一体的に回動可能な作動レバーと、略Ｌ字形の断面形状を有し、前記本体ケースの一側部で扉の背面側となる縁部付近に前記断面形状の略中間部を前記ハンドルの軸に対して直角の軸を介して枢支されて、当該軸周りを、一方の側部が前記作動レバーに向けて他方の側部が筐体側の受け部に向けて回動可能に取り付けられ、かつばね手段を介して常態において一方の側部が前記作動レバーを押圧可能に回動付勢されるロックレバーと、前記本体ケースに前記ハンドルの回動端に係脱可能に設けられ、前記ハンドルを所定の倒伏位置に保持するストッパーと、前記本体ケースに前記ハンドルの軸を介して枢支され、前記本体ケースの開口部を通じて扉の背面側に延び、扉の背面側と正面側との間を前記ハンドルと一体的に回動可能なカム部材、及び前記カム部材に当該カム部材の回動を直線運動に変換可能に軸支され、扉の背面側部に沿って直線的に進退可能なスライドバーとを備え、
各ロック部材のロックバーが前記スライドバーに連結される。
【発明の効果】
【０００７】
本発明の多点締め込み方式ロック装置では、上記の構成により、扉のハンドルを回動操作することにより、これに連動してロックバーを扉の背面の側部に沿って駆動し、このロックバーの駆動により扉の背面各箇所の各ケース内で各スライダーをスライドさせ、このスライダーとロックレバーの一方の側部との係合によりロックレバー全体を回動案内して、ロックレバーの他方の側部を筐体側の受け部に対して圧接するので、扉の背面各箇所のロックレバーを筐体側の受け部に対して積極的に押圧して、筐体を完全密閉することができる。
【図面の簡単な説明】
【０００８】
【図１】（ａ）本発明の一実施の形態による多点締め込み方式ロック装置を示す一部省略背面図（ｂ）同ロック装置に採用される扉用ロックハンドルの平面図（ｃ）同ロック装置の平面図
【図２】（ａ）同ロック装置の平面断面図（ｂ）同ロック装置の一部省略背面断面図
【図３】（ａ）同ロック装置の特に端末ロック部材（非作動時）の側面断面図（ｂ）同ロック装置の特に端末ロック部材（作動時）の側面断面図
【図４】同ロック装置の一部断面背面図
【図５】（ａ）同ロック装置に採用される扉用ロックハンドルが装着される扉のハンドル取付口及び筐体側の受け部を示す平面断面図（ｂ）同ハンドル取付口の背面図
【図６】同ロック装置に採用される扉用ロックハンドルの側面断面図
【図７】同扉用ロックハンドルの平面図
【図８】同扉用ロックハンドルの背面図
【図９】同扉用ロックハンドルの側面図
【図１０】（ａ）同扉用ロックハンドルのハンドルが所定の位置に引き起こされた状態の平面図（ｂ）扉用ロックハンドルのハンドルが所定の位置に倒伏された状態の平面図
【発明を実施するための形態】
【０００９】
次に、本発明の一実施の形態について図を用いて説明する。なお、この実施の形態では、電気機器や電子機器などを収納するラックを例示し、本発明の多点締め込み方式ロック装置について具体的に説明する。
【００１０】
図１に示すように、ラック３の筐体３１は正面に開口３１０を有し、開口３１０とこの開口３１０の側部３１１との間に段差が付けられてこの側部３１１が溝形に形成され、開口３１０の縁部３１２の正面にはパッキング３１３が付設される。扉３２は筐体３１の正面全体を覆い、扉３２の側部３２１と筐体３１の溝形の側部３１１との間に水切り部３３が設けられる。多点締め込み方式ロック装置２は扉３２の背面で回動側の側部の複数個所にロック部材２１が配置され、これらのロック部材２１に連結されたロックバー２５がこの側部に沿って配置され、筐体３１の開口の縁部３１２を受け部として、複数のロック部材２１をロックバー２５の進退運動により係脱させる形式で、ロックバー２５が扉３２の側部に取り付けられる扉用ロックハンドル１に作動連結されて、ハンドル１２の操作に連動するようになっている。
【００１１】
このロック装置２の場合、扉用ロックハンドル１による締め込みと併せて３点締め込み方式が採用され、２つの端末ロック部材２１、２１と、これら端末ロック部材２１、２１を駆動する１本のロックバー２５とを備える。
【００１２】
２つの端末ロック部材２１、２１は共通で、それぞれ、端末ケース２２、端末スライダー２３（図２参照）、端末ロックレバー２４とを備えて構成される。
【００１３】
図２に示すように、端末ケース２２はベース２２１とケース本体２２５とからなる。ベース２２１は扉３２の背面の側部にねじ止め可能に、上下方向に細長い平板状に形成され、その上下両端にねじ挿通穴が形成される。また、このベース２２１の一側部に後述する端末ロックレバー２４の軸挿通部２４３を保持可能に断面円弧状の保持部が形成され、この保持部の上下両端にこの軸挿通部２４３に挿通される軸２４０を保持可能に断面円弧状の保持部が形成される。ケース本体２２５はベース２２１上に被着可能に上下方向に細長い箱形に形成され、ベース２２１とケース本体２２５との間に端末スライダー２３が上下方向にスライド可能にスライド空間が形成される。このケース本体２２５のベース２２１との対向面は全面開放され、その反対側の面の中間部から一側部にかけて連続して端末ロックレバー２４が嵌合可能に開口部２２６が略矩形状に切り欠かれる。また、ケース本体２２５の一方の側部の開口部２２６の両側にベース２２１の上下両端の各保持部とともに軸２４０を保持可能に溝２２７、２２７が形成され、この側部とは反対側の側部に上下方向に向けて端末スライダー２３を移動案内するためのガイド穴２２８が形成される。さらに、このケース本体２２５の上下両端の中央にベース２２１の上下両端のねじ挿通穴に連通するねじ挿通穴２２９、２２９が形成される。このようにして端末ケース２２は扉３２の左右側部のいずれにも選択的に取付可能に左右方向を反転して使用可能に形成される。
【００１４】
端末スライダー２３は端末ケース２２の上下方向の全長の半分よりも短い長さで、端末ケース２２のスライド空間内に嵌合可能に形成される。この場合、端末スライダー２３の外周面はスライド空間内の各面に接触可能に平面状に形成され、特にベース２２１に対する接触面は中央部分が凹状に形成される。また、端末スライダー２３の上面は、図３に示すように、ベース２２１側が上方で、ベース２２１とは反対側が下方となる傾斜面状に形成されて端末ロックレバー２４の回動方向を案内するガイド面２３２をなし、下面はケース本体２２５の下面に面接触可能に平面状に形成される。そして、この端末スライダー２３の両側面に、より詳しくは、上下方向中央よりも少し上方に寄った位置に、円筒状のピン挿通穴２３１、２３１が形成される。このようにして端末スライダー２３は扉３２の左右側部のいずれにも選択的に取付可能に左右対称に形成される。この端末スライダー２３はケース本体２２５内に既述のとおりの向きにしてケース本体２２５の下面から上方に向けて又はその反対にスライド可能に配置される。
【００１５】
端末ロックレバー２４は図１（ｃ）、図２（ａ）、（ｂ）に示すように、略Ｌ字形の断面形状を有し、端末ケース２２の一側部に（端末ロックレバー２４の）断面形状の略中間部を端末ロック部材２１の配列方向と平行な軸２４０を介して枢支されて、当該軸２４０の周りを、一方の側部が端末スライダー２３に向けて他方の側部が筐体側の受け部３１２に向けて回動可能に取り付けられ、かつばね手段（２４４）を介して常態において一方の側部が端末スライダー２３を押圧可能に回動付勢される。この場合、端末ロックレバー２４は、図２に示すように、端末ケース２２のケース本体２２５の開口部２２６内に配置可能な台形の平板状に形成された被押圧部２４１と、この被押圧部２４１の一側部に形成され、当該一側部からケース本体２２５の開口部２２６外に略９０度方向に回り込み、端末ケース２２の一側部の外側に突出する凸状の押圧部２４２と、この略９０度間隔の被押圧部２４１と押圧部２４２との間で上部及び下部に形成され、上下方向に軸２４０を挿通可能な一対の軸挿通部２４３、２４３とからなり、全体が略Ｌ字形の断面形状になっている。このようにして端末ロックレバー２４は扉３２の左右側部のいずれにも選択的に取付可能に左右方向を反転して使用可能に形成される。そして、この端末ロックレバー２４は各軸挿通部２４３、２４３に軸２４０が挿通されて、端末ケース２２のケース本体２２５の開口部２２６に嵌め込まれ、軸２４０が本体ケース２２５の一側部の各溝２２７、２２７に通されて、この軸２４０の周りを、端末ロックレバー２４の被押圧部２４１側の側部がケース本体２２５の開口部２２６内の所定の位置に向けて、押圧部２４２側の側部がケース本体２２５の一側部の外側に回り込んで所定の位置に向けて、回動可能に取り付けられるとともに、この軸２４０の周囲に予め巻き付けられたばね手段のコイルスプリング２４４により、常態において被押圧部２４１側の側部がケース本体２２５の開口部２２６内の所定の位置に向けて回動付勢される。
【００１６】
このようにしてケース本体２２５はベース２２１上に被せ着けられて、端末スライダー２３がケース本体２２５内に当該ケース本体２２５の下面から上方に向けて又はその反対にスライド可能に配置され、端末ロックレバー２４が各軸挿通部２４３、２４３及び軸２４０をケース本体２２５の各溝２２７、２２７とベース２２１の各保持部とにより保持されて、被押圧部２４１側の側部が当該ケース本体２２５内に向けて押圧部２４２側の側部が当該ケース本体２２５外に向けて回動可能に取り付けられ、端末スライダー２３の上下方向の進退運動により、被押圧部２４１の側部が端末スライダーの上面のガイド面２３２に係合案内されて、押圧部２４２の側部がケース本体２２５外又はケース本体２２５内に向けて回動される。
【００１７】
図４に示すように、ロックバー２５は扉３２の背面の側部に沿って配置可能に、かつ各端末ロック部材２１に作動連結可能な長さを有する細長いバーで、その中間所定の位置に扉用ロックハンドル１のスライドバー１７に対する連結部が設けられる。このロックバー２５にはフラットバーが採用され、その中間所定の位置に連結部をなすピン２５１が接続プレート２５２を介して固着される。また、このロックバー２５の両端部には一方の面にピン２５３が突設され、他方の面に保護パット２５４が取り付けられる。この場合、ピン２５３は端末スライダー２３のピン挿通穴２３１に挿通可能な円柱状のピンで、このピン２５３は、ロックバー２５に取付穴を形成して、この取付穴にカシメて固定される。保護パット２５４は合成樹脂材料により略長方形の板状に形成され、その一方の面に取付軸が一体に形成され、この保護パット２５４はロックバー２５に取付穴を形成して、この取付穴に圧入して固定される。このようにしてロックバー２５は扉３２の左右側部のいずれにも選択的に取付可能に左右方向を反転して使用可能に形成される。そして、このロックバー２５は、２つの端末ロック部材２１、２１にそれぞれ、ロックバー２５両端の各ピン２５３、２５３が端末ケース２２側部のガイド穴２２８を通して端末スライダー２３のピン挿通穴２３１に差し込まれて、作動連結される。また、このロックバー２５の設置に当たり、このロックバー２５にロックバーガイド２６が採用される。ロックバーガイド２６はロックバー２５の周囲を取り囲み可能な溝形形状を有し、扉３２の背面の側部にロックバー２５の所定方向の移動を案内可能に設置される。この場合、ロックバーガイド２６は扉３２の背面に設置可能な平面状に形成され、その略中央に取付穴を有する固定部２６１と、この固定部２６１の一端に逆Ｕ字形に延びるガイド部２６２とからなる。このようにしてロックバーガイド２６は扉３２の左右側部のいずれにも選択的に取付可能に左右方向を反転して使用可能に形成される。そして、このロックカバーガイド２６は扉３２の背面の側部にガイド部２６２をロックバー２５の配置上に合わせて設置固定され、ロックバー２５の周囲を取り囲み、ロックバー２５の進退方向を案内する。
【００１８】
このようにロック装置２は２つの端末ロック部材２１、２１が扉３２の背面で回動側の側部の上下２個所に設置固定され、各端末ロック部材２１、２１にロックバー２５、２５がピン２５３を介して作動連結されるとともに、このロックバー２５と後述する扉用ロックハンドル１のスライドバー１７がピン２５１を介して作動連結されて、扉３２の正面に取り付けられたハンドル１２の操作に連動して、（各端末ロック部材２１、２１に連結された）ロックバー２５を扉３２の背面の側部に沿って進退駆動することにより、各端末ロック部材２１、２１を筐体側の受け部３１２に係合離脱するようになっている。
【００１９】
図１（ａ）、（ｂ）にこのロック装置２に作動連結されて、このロック装置２とともに多点締め込み機構を構成する扉用ロックハンドル１を示している。この扉用ロックハンドル１は、本体ケース１１、ハンドル１２、作動レバー１３、ロックレバー１４、ストッパー１５、カム部材１６、スライダー１７などを備え、本体ケース１１を介して扉３２の側部３２１のハンドル取付口３２２に取り付けられ、筐体３１の内部空間に対してアウトサイドに配置の、アウトサイドロックハンドルとして構成されて、多点締め込み方式ロック装置２に作動連結され、ハンドル１２の回動操作により、ロックレバー１４とともにロック装置２の各端末ロック部材２１、２１が筐体側の受け部をなす開口３１０の縁部３１２に係脱可能になっている。
【００２０】
この扉用ロックハンドル１では、図５に示すように、扉３２のハンドル取付口３２２が、扉３２の側部３２１で、上下方向中間の所定の位置に上下方向に長い長方形状に切り欠かれ、併せてその上下両端の中央に取付穴３２３、３２３が１つずつ穿たれる。図６及び図７に示すように、本体ケース１１は、扉３２の側部３２１に切り欠き形成されるハンドル取付口３２２に嵌め込み固定可能に形成され、扉３２の正面側と背面側とを連通する開口部１１０を有している。この本体ケース１１は、扉３２のハンドル取付口３２２に嵌合可能に略長方形の枠形に形成される埋め込み部１１１と、この埋め込み部１１１に連続してハンドル取付口３２２の正面側周囲に被着可能に埋め込み部１１１よりも少し大きい略長方形の枠形に形成された被着部１１２とからなり、これら埋め込み部１１１と被着部１１２との間に相互に連通する開口部１１０が形成され、この開口部１１０の下部に筒状の穴１１９が開口部１１０と略平行に形成される。開口部１１０には、埋め込み部１１１側の上部で一方の側部側に軸・ピンホルダー１１３がねじにより着脱可能に取り付けられ、また、この埋め込み部１１１側の（上下方向）中間部に溝形形状部１１４が形成されて、この溝形形状部１１４に軸・スライドバーホルダー１１５がねじにより着脱可能に取り付けられる。この場合、軸・ピンホルダー１１３は、下面に軸用の穴が形成され、一方の側面にピン用の穴が形成され、開口部１１０の埋め込み部１１１側の上部の一方の側部側に、ピン用の穴を他方の側部側に向けて取り付けられる。なお、この軸・ピンホルダー１１３は、開口部１１０の埋め込み部１１１側の上部で他方の側部側にねじにより、左右方向を反転した向きに取り付け可能になっている。軸・スライドバーホルダー１１５は開口部１１０の埋め込み部１１１側の溝形形状部１１４に嵌合可能に形成され、上面と下面との間には一方の側部側に軸・ピンホルダーの軸用の穴に対向する軸用の穴が貫通形成され、他方の側部側にスライドバー用の穴が貫通形成される。なお、この軸・スライドバーホルダー１１５は左右方向を反転して溝形形状部１１４に取り付け可能になっている。この開口部１１０にはまた、埋め込み部１１１側の上部で、軸・スライドバーホルダー１１５のスライダー用の穴に対向してスライドバーの挿通部１１６が貫通形成され、また、埋め込み部１１１側の両側部中間部で、溝形形状部１１４の直下に軸挿通穴１１７、１１７が形成され、さらに、被着部１１２側の両側部上部で埋め込み部１１１側の軸・ピンホルダー１１３の少し下辺りに軸取付穴１１８、１１８が形成される。この開口部１１０の下部、すなわち本体ケース１１の下部に穴１１９が被着部１１２の正面側を開口して円筒状に形成され、この穴１１９の埋め込み部１１１側の端部には開口部１１０に連通する溝１１９Ｐが連続的に形成される。さらに、この本体ケース１１は被着部１１２側の上端及び下端が上下方向に張り出されて、それぞれ背面側にハンドル取付口３２２上下の各取付穴３２３、３２３に連通するねじ穴１１Ｕ、１１Ｄが形成される。このようにして本体ケース１１は扉３２の左右側部のいずれにも選択的に取付可能に左右対称に、また一部が左右方向を反転して使用可能に形成される。
【００２１】
ハンドル１２は、本体ケース１１の開口部１１０に嵌合可能に形成され、一端が本体ケース１１に扉３２の正面と平行な軸１２１を介して枢支されて、扉３２の正面に対して直角な面内において所定の倒伏位置と所定の引き起こし位置との間を回動可能に取り付けられる。作動レバー１３はハンドル１２と同軸上に枢支され、本体ケース１１の開口部１１０を通じて扉３２の背面側に延び、扉３２の背面側と正面側との間をハンドル１２と一体的に回動可能に取り付けられる。この場合、ハンドル１２と作動レバー１３は一体に形成される。ハンドル１２は本体ケース１１の開口部１１０の被着部１１２側に一体的に嵌合可能に形成され、ハンドル３の回動端（下端）に、ストッパー１５に係合可能な係止段部１２２が形成されるとともに、この係止段部１２２の内側にストッパー１５を上から押圧して下方向に回動変位させるための斜めのガイド部１２３が形成される。また、このハンドル１２の内側面の上部には作動レバー１３が一体に形成される。作動レバー１３はハンドル１２の内側面上部に略台形状又は略三角形状に形成されて、ハンドル１２の内側面上部から突出される。そして、このハンドル１２の上端部で作動レバー１３の上端部と重なり合う位置に軸挿通部１２４が形成される。また、作動レバー１３には、軸挿通部１２４の下部位置、突出端の位置、作動レバー１３の下端部とハンドル１２が重なりあう位置にそれぞれ、後述するカム部材１６を結合するための３つの取付穴１３５、１３５、１３５が形成される。このようにして作動レバー１３付きのハンドル１２は扉３２の左右側部のいずれにも選択的に取付可能に左右対称に形成される。そして、作動レバー１３は本体ケース１１の開口部１１０上部内に配置され、ハンドル１２が本体ケース１１の開口部１１０の被着部１１２側上部から中間部にかけて嵌め込まれて、本体ケース１１の被着部１１２側上部の軸取付穴１１８とハンドル１２上部の軸挿通部１２４との間に軸１２１が通されるとともに、この軸１２１上にコイルスプリング（図示省略）が巻き付けられて、（このコイルスプリングの）一端が本体ケース１１の背面に係止され、他端がハンドル１２の背面に係止される。このようにすることにより、ハンドル１２は本体ケース１１の開口部１１０に一体に嵌め込まれる所定の倒伏位置とこの位置から上方に向けて適宜角度の所定の引き起こし位置との間に回動可能に、かつ常態においてハンドル１２が本体ケース１１の開口部１１０から所定の引き起こし位置に向けて回動付勢されて取り付けられる。なお、ハンドル１２のコイルスプリングは常態においてハンドル１２を所定の引き起こし位置に保持する点でストッパーとしての機能を有している。そして、このハンドル１２に一体の作動レバー１３は本体ケース１１の開口部１１０内にハンドル１２の軸１２１の周りを作動レバー１３の突出端が開口部１１０の埋め込み部１１１側所定の位置と被着部１１２側所定の位置との間で回動可能（進退可能）に、かつ常態において作動レバー１３が開口部１１０の被着部１１２側に回動付勢されて配置される。
【００２２】
ロックレバー１４は、図７及び図８に示すように、略Ｌ字形の断面形状を有し、本体ケース１１の一側部で扉３２の背面側となる縁部付近に略Ｌ字形の断面形状の略中間部をハンドル１２の軸１２１に対して直角の軸１４０を介して枢支されて、当該軸１４０の周りを、一方の側部が作動レバー１３に向けて他方の側部が筐体側の受け部３１２に向けて回動可能に取り付けられ、かつばね手段１４４を介して常態において一方の側部が作動レバー１３を押圧可能に回動付勢される。この場合、ロックレバー１４は、本体ケース１１の開口部１１０内に配置可能な縦長の長方形の平板状に形成された被押圧部１４１と、この被押圧部１４１の一側部に形成され、当該一側部から略９０度方向に回り込み突出する凸状の押圧部１４２と、この略９０度間隔の被押圧部１４１と押圧部１４２との間で上部及び下部に形成され、上下方向に軸１４０を挿通可能な一対の軸挿通部１４３、１４３とからなり、全体が略Ｌ字形の断面形状になっている。このようにしてロックレバー１４は扉３２の左右側部のいずれにも選択的に取付可能に左右方向を反転して使用可能に形成される。そして、ロックレバー１４は各軸挿通部１４３、１４３間に軸１４０が挿通され、この軸１４０が本体ケース１１の開口部１１０の埋め込み部１１１側の軸・ピンホルダー１１３の軸用の穴と軸・スライドバーホルダー１１５の軸用の穴との間に取り付けられて、この軸１４０の周りをロックレバー１４の被押圧部１４１側の側部が本体ケース１１の開口部１１０内の所定の位置に向けて押圧部１４２側の側部が本体ケース１１の一方の側部の外側に回り込んで所定の位置に向けて回動可能に取り付けられるとともに、この軸１４０の周囲に予め巻き付けられたばね手段のコイルスプリング１４４により、常態において被押圧部１４１側の側部が本体ケース１１の開口部１１０内の所定の位置に向けて回動付勢される。
【００２３】
ストッパー１５は、図６に示すように、本体ケース１１にハンドル１２の回動端に係脱可能に設けられ、ばね手段を介して常態においてハンドル１２を所定の倒伏位置に保持するようになっている。このストッパー１５は、本体ケース１１の開口部１１０の被着部１１２側の下部に一体的に嵌合可能な略矩形の板状に、かつ下端が本体ケース１１の開口部１１０内に少し入り込む突状に形成され、また、背面に一対のアーム１５１、１５１が突出されて、その突出端に軸挿通穴１５２、１５２が穿たれる。このようにしてストッパー１５は扉３２の左右側部のいずれにも選択的に取付可能に左右対称に形成される。そして、一対のアーム１５１、１５１が本体ケース１１の開口部１１０内に差し込まれて、本体ケース１１の開口部１１０の被着部１１２側の下部に嵌め込まれ、本体ケース１１の被着部１１２側の両側部中間部の各軸挿通穴１１７、１１７とストッパー１５の軸挿通穴１５２、１５２との間に軸１５０が通されるとともに、この軸１５０上にコイルスプリング（図示省略）が巻き付けられて、（このコイルスプリングの）一端が本体ケース１１中間部の溝形形状部１１４の下面に係止され、他端がストッパー１５の背面の下部に係止される。なお、この場合、ストッパー１５側のコイルスプリングはハンドル１２側のコイルスプリングよりもばね力の強いものが使用される。このようにすることにより、ストッパー１５は本体ケース１１の開口部１１０の下部に、この開口部１１０内に少し入り込むように回動可能に枢支されるとともに、ストッパー１５の下端部が本体ケ−ス１１の開口部１１０の内面に当接されることによりストッパー１５の開口部１１０からの飛び出しを阻止されて、ハンドル１２の回動端が係脱可能に取り付けられる。そして、ハンドル１２を本体ケース１１の開口部１１０に対して所定の引き起こし位置から本体ケース１１の開口部１１０内の所定の倒伏位置に向けて押し戻すことにより、ハンドル１２の回動端、すなわちハンドル１２下端のガイド部１２３がストッパー１５の上端部に当たり、ストッパー１５を下方に回動変位させていき、ハンドル１２の下端がストッパー１５の上端部を乗り越えると、ストッパー１５が元の位置に弾性復帰すると同時にハンドル１２下端の係止段部１２２とストッパー１５の上端部が係合し、ストッパー１５側のコイルスプリングがハンドル１２側のコイルスプリングよりもばね力が強いことにより、ハンドル１２が本体ケース１１内（の所定の倒伏位置）に保持される。この状態から、ストッパー１５の正面下部を押すと、ストッパー１５が下方に回動変位して、ハンドル１２下端の係止段部１２２とストッパー１５の上端部との係合が解除され、ハンドル１２は本体ケース１１内の所定の倒伏位置から所定の引き起こし位置まで突出回動される。また、このストッパー１５の下、すなわち本体ケース１１下部の円筒状の穴１１９に錠前ユニット１５４が装着される。錠前ユニット８は、所定のキーで回転可能なロータ１５５と、ロータ１５５の後部端にロータ１５５の軸方向に対して直角に固定されてロータ１５５と一体に回転可能なロータカム１５６とを有し、ロータカム１５６がこの穴１１９の後端部の溝１１９Ｐを通じて、本体ケース１１の開口部１１０の下部に配置される。そして、所定のキーによりロータ１５５を所定の方向に回動させることにより、本体ケース１１内でロータカム１５６がストッパー１５の動き（この場合、回動）を規制するロック位置に突出して、所定の倒伏位置のハンドル１２をロック（引き起こし方向の回動をロック）し、ロータ１５５を反対方向に回転させることにより、本体ケース１１内でロータカム１５６がストッパー１５の動き（この場合、回動）を許容するアンロック位置に反転されて、所定の倒伏位置のハンドル１２のロックを解除する。
【００２４】
カム部材１６は、図６に示すように、本体ケース１１に、ハンドル１２の軸１２１を介して枢支され、本体ケース１１の開口部１１０を通じて扉３２の背面側に延び、扉３２の背面側と正面側との間をハンドル１２と一体的に回動可能に取り付けられる。このカム部材１６は作動レバー１３の外形を含む全体が略四角形に形成され、その一角が作動レバー１３の上辺（ハンドル１２の上端部と作動レバー１３の突出端を結ぶ縁部）から上方に突出される。このカム部材１６の両側面には、作動レバー１３の各取付穴１３５、１３５、１３５と対応する位置に共通の穴が形成され、作動レバー１３の上方に突出される一角にピン挿通穴１６１が形成される。このようにしてカム部材１６は扉３２の左右側部のいずれにも選択的に取付可能に左右対称に形成される。そして、このカム部材１６は作動レバー１３の一方の側面に両者間の取付穴１３５、１３５、１３５（カム部材１６の符号はなし。）に取付ねじを通してねじ締結され、本体ケース１１の開口部１１０内にハンドル１２とともに軸支される。スライドバー１７は、図６に示すように、所定の長さを有する細長い板からなり、中間部が少し幅広に形成される。このスライドバー１７の上端部に多点締め込み方式ロック装置２に連結するための取付穴１７１が形成され、中間部に（スライドバー１７の幅方向に長い）長穴１７２が形成される。このようにしてスライドバー１７は扉３２の左右側部のいずれにも選択的に取付可能に左右対称に形成される。そして、このスライドバー１７は本体ケース１１上部のスライダーの挿通部１１６と開口部１１０の埋め込み部１１１側の中間部の軸・スライドバーホルダー１１５のスライダー用の穴との間に通され、カム部材１６上部のピン挿通部１６１とスライドバー１７中間部の長穴１７２に、埋め込み部１１１上部の軸・ピンホルダー１１３の側面に突出固定されるピン１７３が挿通されて、カム部材１６に当該カム部材１６の回動を直線運動に変換可能に軸支され、本体ケース１１の上下方向に向けて直線的に進退可能に取り付けられる。
【００２５】
このように扉用ロックハンドル１は、図９に示すように、扉３２の側部３２１（のハンドル取付口３２２）に本体ケース１１を介して取り付けられて、ハンドル１２が扉３２の正面の側部３２１にこの扉３２の正面と平行な軸１２１を介して枢支され、この扉３２の正面に対して直角な面内において所定の倒伏位置と所定の引き起こし位置との間を回動可能に装着されるとともに、このハンドル１２の回動端がストッパー１５により所定の倒伏位置に保持され、併せて扉３２の正面の側部３２１に作動レバー１３がハンドル１２の軸１２１を介して扉３２の背面側に延び、扉３２の背面側と正面側との間をハンドル１２と一体的に回動可能に枢支され（図６参照）、ロックレバー１４が扉３２の背面の側部にハンドル１２の軸１２１に対して直角の軸１４０を介して枢支されて、当該軸１４０の周りを、一方の側部が作動レバー１３に向けて他方の側部が筐体側の受け部３１２に向けて回動可能に構成される。そして、ハンドル１２を本体ケース１１上の所定の倒伏位置へ回動することにより、作動レバー１３を扉３２の正面側から背面側に回動し、この作動レバー３２の回動によりロックレバー１４の一方の側部を押圧して、ロックレバー１４全体を回動し、他方の側部を筐体側の受け部３１２に圧接可能になっている。
【００２６】
このようにして扉用ロックハンドル１は扉３２に装着され、（筐体３１に対して）扉３２を閉めた状態で、扉３２の正面の側部のハンドル１２を回動操作することにより、扉３２の背面の側部のロックレバー１４が回動し、筐体３１の正面の開口縁部に形成された受け部３１２に係脱して、扉３２を開閉することができる。この場合、扉３２が開いた状態では、図１０（ａ）に示すように、ハンドル１２はストッパー１５から外れて、ロックレバー１４のコイルスプリング１４４による回動付勢により、ロックレバー１４の被押圧部１４１側の側部が本体ケース１１内に向けて回動変位され、この被押圧部１４１側の側部に押圧されて作動レバー１３が扉３２の背面側から正面側に向けて回動変位されるとともに、この作動レバー１３と一体のハンドル１２が本体ケース１１上の所定の倒伏位置から所定の引き起こし位置に向けて（押圧）回動変位され、併せてハンドル１２の軸１２１上のコイルスプリングの付勢力により所定の引き起こし位置まで完全に引き起こされる。すなわち、ハンドル１２は扉３２の正面から飛び出した状態となる。この状態から、扉３２を閉めて、ハンドル１２を本体ケース１１（の所定の倒伏位置）に向けて回動することにより、図１０（ｂ）に示すように、ハンドル１２と一体に作動レバー１３が扉３２の正面側から背面側に向けて回動され、この作動レバー１３により本体ケース１１内のロックレバー１４（被押圧部１４１）が押されて、ロックレバー１４（押圧部１４２）が筐体側の受け部３１２に向けて回動される。そして、ハンドル１２を本体ケース１１の開口部１１０に所定の倒伏位置まで押し込むことにより、作動レバー１３が本体ケース１１内のロックレバー１４（被押圧部１４１）を押し込んで、ロックレバー１４を筐体側の受け部３１２に迫り合い係合し、ロックレバー１４の押圧部１４２を筐体側の受け部３１２に強力に圧接する。この場合、ロックレバー１４は筐体側の受け部３１２に対し、背面側から正面側に向けて圧接し、この圧接により扉３２は筐体３１側に強く引き寄せられて、筐体３１の開口縁のパッキング３１３が完全に圧縮され、筐体３１の開口３１０が完全に密閉される。この間、ハンドル１２の回動端、すなわちハンドル１２下端のガイド部１２３がストッパー１５の上端部に当たり、ストッパー１５を下方に回動変位させていき、ハンドル１２の下端がストッパー１５の上端部を乗り越えて、ストッパー１５が元の位置に弾性復帰すると同時にハンドル１２下端の係止段部１２２とストッパー１５の上端部が係合し、ストッパー１５側のコイルスプリングがハンドル１２側のコイルスプリングよりもばね力が強いため、ハンドル１２がケース本体１１内（の所定の倒伏位置）に固定される。これにより、扉３２は筐体３１の正面に閉止され、筐体３１の開口３１０の完全な密閉状態が保持される。この場合、ストッパー１５の下部の錠前ユニット１５４に所定のキーを差し込んで、ロータ１５５をロータカム１５６のロック位置に回動することにより、ストッパー１５の動きが規制されて、ハンドル１２の引き起こし方向の回動がロックされ、扉３２が施錠される。なお、この状態から、錠前ユニット１５４に所定のキーを差し込んで、ロータ１５５をロータカム１５６のアンロック位置に回動することにより、ストッパー１５の動きが許容されて、ハンドル１２のロックが解除され、扉３２が解錠される。そして、ストッパー１５の正面下部を押すと、ストッパー１５が下方に回動変位されて、ハンドル１２下端の係止段部１２２とストッパー１５の上端部との係合が解除され、ロックレバー１４のコイルスプリング１４４による回動付勢により、ロックレバー１４の被押圧部１４１側の側部が本体ケース１１内に向けて回動され、この被押圧部１４１側の側部に押圧されて作動レバー１３が扉３２の背面側から正面側に向けて回動されるとともに、この作動レバー１３と一体にハンドル１２が本体ケース１１上の所定の倒伏位置から所定の引き起こし位置に向けて（押圧）回動され、併せてハンドル１２の軸１２１上のコイルスプリングの付勢力により所定の引き起こし位置まで完全に引き起こされる。すなわち、ハンドル１２は扉３２の正面から飛び出した状態となり、扉３２の閉止状態が解除される。
【００２７】
そして、この扉用ロックハンドル１に作動連結された多点締め込み方式ロック装置２は、扉３２の正面に取り付けられたハンドル１２の操作に連動して、図４に示すように、扉３２の背面の側部上下に配置された各端末ロック部材２１に連結されたロックバー２５がロックバーガイド２６に案内されて、扉３２の背面の側部に沿って進退運動することにより、各端末ロック部材２１が筐体側の受け部３１２に係合離脱する。この場合、扉３２が開いた状態では、ハンドル１２はストッパー１５から外れて、ロックレバー１４のコイルスプリング１４４による回動付勢により、ロックレバー１４の被押圧部１４１側の側部が本体ケース１１内に向けて回動変位され、この被押圧部１４１側の側部に押圧されて作動レバー１３が扉３２の背面側から正面側に向けて回動変位され、この作動レバー１３と一体のカム部材１６が扉３２の背面側から正面側に向けて回動変位される。そして、このカム部材１６の回動変位により、スライドバー１７が扉３２の背面の側部に沿って下方に変位され、このスライドバー１７に連結されたロックバー２５が連動して、ロックバーガイド２６の案内により、扉３２の背面の側部に沿って下方変位される。このロックバー２５の下方変位により、図３（ａ）に示すように、上下の各端末ケース２２のスライド空間内で各端末スライダー２３は下方にスライド変位された状態で、各端末スライダー２３のガイド面２３２上に各端末ロックレバー２４は乗っていない。したがって、各端末ロックレバー２４は、コイルスプリング２４４の回動付勢により、被押圧部２４１側の側部がケース本体２２５の開口部２２６内の所定の位置に回動変位されて、押圧部２４２側の側部が筐体側の受け部３１２から離れた状態になっている。この状態から、ハンドル１２を本体ケース１１（の所定の倒伏位置）に向けて回動することにより、ハンドル１２と一体に作動レバー１３が扉３２の正面側から背面側に向けて回動され、この作動レバー１３に一体のカム部材１６が扉３２の正面側から背面側に向けて回動される。そして、このカム部材１６の回動により、スライドバー１７は扉３２の背面の側部に沿って上方に変位され、このスライドバー１７に連結されたロックバー２５が連動し、ロックバーガイド２６に案内されて、扉３２の背面の側部に沿って上方に送り出される。このロックバー２５の上方への送り出しにより、上下の各端末ケース２２のスライド空間内で各端末スライダー２３３が上方に向けてスライドされると同時に、図３（ｂ）に示すように、各端末ロックレバー２４の被押圧部２４１側の側部がこの端末スライダー２３のガイド面２３２に乗って係合案内され、各端末ロックレバー２４（被押圧部２４１）が押されて、各端末ロックレバー２４（押圧部２４２）が筐体側の受け部３１２に向けて回動される。そして、ハンドル１２を本体ケース１１の開口部１１０に所定の倒伏位置まで押し込むことにより、カム部材１６、スライドバー１７、ロックバー２５を介して、各端末ケース２２の各端末ロックレバー２４（被押圧部２４１）を押し込んで、各端末ロックレバー２４を筐体側の受け部３１２に迫り合い係合し、各端末ロックレバー２４の押圧部２４２を筐体側の受け部３１２に強力に圧接する。この場合、端末ロックレバー２４は筐体側の受け部３１２に対し、背面側から正面側に向けて圧接し、この圧接により扉３２は筐体３１側に強く引き寄せられて、筐体３１の開口縁のパッキング３１３は完全に圧縮され、筐体３１の開口３１０が完全に密閉される。この間、ハンドル１２の回動端、すなわちハンドル１２下端のガイド部１２３はストッパー１５の上端部に当たり、ストッパー１５を下方に回動変位させていき、ハンドル１２の下端がストッパー１５の上端部を乗り越えて、ストッパー１５が元の位置に弾性復帰すると同時にハンドル１２下端の係止段部１２２とストッパー１５の上端部が係合し、ストッパー１５側のコイルスプリングがハンドル１２側のコイルスプリングよりもばね力が強いため、ハンドル１２が本体ケース１１内（の所定の倒伏位置）に固定される。これにより、扉３２は筐体３１の正面に閉止され、筐体３１の開口３１０の完全な密閉状態が保持される。なお、この状態から、ストッパー１５の正面下部を押すと、ストッパー１５が下方に回動変位して、ハンドル１２下端の係止段部１２３とストッパー１５の上端部との係合が解除され、ロックレバー１４のコイルスプリング１４４による回動付勢により、ロックレバー１４の被押圧部１４１側の側部が本体ケース１１内に向けて回動され、この被押圧部１４１側の側部に押圧されてカム部材１６が扉３２の背面側から正面側に向けて回動されるとともに、このカム部材１６の回動により、スライドバー１７が扉３２の背面の側部に沿って下方にスライドされ、このスライドバー１７に連結されたロックバー２５が連動して、ロックバーガイド２６の案内により、扉３２の背面の側部に沿って下方へ移動される。このロックバー２５の下方への移動により、上下の各端末ケース２２のスライド空間内で各端末スライダー２３は下方にスライドされ、各端末スライダー２３のガイド面２３２と各端末ロックレバー２４との係合が解除される。したがって、各端末ロックレバー２４は、コイルスプリング２４４の回動付勢により、被押圧部２４１側の側部が端末ケース２２の開口部２２６内の所定の位置に回動変位されて、押圧部２４２側の側部が筐体側の受け部３１２から離される。すなわち、扉３２の閉止状態が解除される。
【００２８】
以上説明したように、この多点締め込み方式ロック装置２は、扉３２の背面で回動側の側部の複数個所に端末ロック部材２１が配置され、扉３２の正面に取り付けられた（扉用ロックハンドルの）ハンドルの操作に連動して、各端末ロック部材２１に連結されたロックバー２５を扉３２の背面の側部に沿って進退運動することにより、各端末ロック部材２１を筐体側の受け部３１２に係合離脱する形式で、特に、扉用ロックハンドル１は、扉３２の正面の側部に切り欠き形成されるハンドル取付口３２２に嵌め込み固定可能に形成され、扉３２の正面側と背面側とを連通する開口部１１０を有する本体ケース１１と、本体ケース１１に嵌合可能に形成され、一端が本体ケース１１に扉３２の正面と平行な軸１２１を介して枢支されて、扉３２の正面に対して直角な面内において所定の倒伏位置と所定の引き起こし位置との間を回動可能なハンドル１２、及びハンドル１２と同軸上に枢支されて、本体ケース１１の開口部１１０を通じて扉３２の背面側に延び、扉３２の背面側と正面側との間をハンドル１２と一体的に回動可能な作動レバー１３と、略Ｌ字形の断面形状を有し、本体ケース１１の一側部で扉３２の背面側となる縁部付近に断面形状の略中間部をハンドル１２の軸１２１に対して直角の軸１４０を介して枢支されて、当該軸１４０の周りを、一方の側部が作動レバー１３に向けて他方の側部が筐体側の受け部３１２に向けて回動可能に取り付けられ、かつばね手段１４４を介して常態において一方の側部が作動レバー１３を押圧可能に回動付勢されるロックレバー１４と、本体ケース１１にハンドル１２の回動端に係脱可能に設けられ、ハンドル１２を所定の倒伏位置に保持するストッパー１５、併せてハンドル１２を所定の引き起こし位置に回動付勢して保持するストッパー（ばね手段（コイルスプリング））と、本体ケース１１にハンドル１２の軸１２１を介して枢支され、本体ケース１１の開口部１１０を通じて扉３２の背面側に延び、扉３２の背面側と正面側との間をハンドル１２と一体的に回動可能なカム部材１６と、カム部材１６に当該カム部材１６の回動を直線運動に変換可能に軸支され、扉３２の背面の側部に沿って直線的に進退可能なスライドバー１７とを備え、各端末ロック部材２１は、扉３２の背面の側部に、当該側部の延びる方向に両端を向けて設置固定される端末ケース２２と、端末ケース２２内に当該端末ケース２２の一端と他端との間をスライド可能に配置される端末スライダー２３と、端末ケース２２に、一方の側部が当該端末ケース２２内に向けて他方の側部が当該端末ケース２２外に向けて回動可能に取り付けられて、端末スライダー２３の進退運動により、一方の側部が端末スライダー２３に係合案内され、他方の側部が端末ケース２２外又は端末ケース２２内に向けて回動されて、筐体側の受け部３１２に係脱可能な端末ロックレバー２４とを備え、扉用ロックハンドル１のスライドバー１７に各端末ロック部材２１に作動連結されたロックバー２５が連結され、ハンドル１２を所定の倒伏位置へ回動操作することにより、作動レバー１３を扉３２の正面側から背面側に回動し、この作動レバー１３によりロックレバー１４（被押圧部１４１）の一方の側部を押圧して、ロックレバー１４全体を回動し、ロックレバー１４（押圧部１４２）の他方の側部を筐体側の受け部３１２に対して、背面側から正面側に向けて圧接し、この圧接により扉３２を筐体側に引き寄せて、筐体３１の開口縁のパッキング３１３を完全に圧縮するとともに、これに連動して、ハンドル１２と一体に回動するカム部材１６を介して、スライドバー１７を扉３２の背面の側部に沿ってスライドし、このスライドバー１７によりロックバー２５を駆動して、扉３２の背面の側部上下の各端末ケース２２内で各端末スライダー２３のスライドにより各端末ロックレバー２４の被押圧部２４１を押して、各端末ロックレバー２４の押圧部２４２を筐体側の受け部３１２に向けて回動し、各端末ロックレバー２４を筐体側の受け部３１２に対し、背面側から正面側に向けて圧接し、この圧接により扉３２を筐体３１側に引き寄せて、筐体３２の開口縁のパッキング３１３を完全に圧縮するので、ロックレバー１４、各端末ロックレバー２４を筐体側の受け部３１２に対して積極的に押圧し、筐体３１（の開口３１０）を完全に密閉することができる。また、この場合、ハンドル１２を回動してストッパー１５に係合させるだけで、ハンドル１２を本体ケース１１上の所定の倒伏位置に保持して、ロックレバー１４及び各端末ロックレバー２４の筐体側の受け部３１２に対する押圧状態を固定保持することができ、反対に、ストッパー１５を（押し）操作して、ストッパー１５とハンドル１２との係合を解除するだけで、ハンドル１２を本体ケース１１の所定の引き起こし位置に回動突出させて、ロックレバー１４及び各端末ロックレバー２４の筐体側の受け部３１２に対する押圧状態を解除することができ、扉３２の開閉に伴うロックレバー１４及び端末ロックレバー２４の筐体側の受け部３１２に対する係脱操作を簡易に行うことができる。
【００２９】
また、この扉用ロックハンドル１には、本体ケース１１に錠前ユニット１５４を併せて備え、ストッパー１５の動きを規制して、ハンドル１２の所定の倒伏位置でハンドル１２の回動をロックするようにしたので、ロックレバー１４及び各端末ロックレバー２４の筐体側の受け部３１２に対する押圧状態を確実に保持し、扉３２と筐体３１（の開口３１０）との完全な密閉状態を確実に維持することができる。
【００３０】
さらに、この扉用ロックハンドル１の、ロックレバー１４の筐体側の受け部３１２に対する係合形式は、扉３２の側部で、かつ筐体３１に対してアウトサイドに取り付けるアウトサイドハンドルに好適で、筐体３１に高度の密閉状態を実現することができる。
【００３１】
また、各端末ロック部材２１の端末ケース２２、端末スライダー２３、端末ロックレバー２４、ロックバー２５、ロックバーガイド２６はそれぞれ、扉３２の左右側部のいずれにも選択的に取付可能に左右対称に又は左右方向を反転して使用可能に形成され、併せて扉用ロックハンドル１の本体ケース１１、ハンドル１２、作動レバー１３、ロックレバー１４、ストッパー１５、カム部材１６、スライドバー１７がそれぞれ、扉３２の左右側部に選択的に取付可能に左右対称に又は左右方向を反転して使用可能に形成されるので、この多点締め込み機構を扉３２の左右いずれにも装着することができ、部品管理が容易で、コストの低減を図ることができる。なお、扉を上下方向に開閉する形式でも、この多点締め込み機構を同様に適用できることは言うまでもない。
【００３２】
なお、この実施の形態では、扉３２の背面で回動側の側部の複数個所に端末ロック部材２１を配置し、扉３２の正面に取り付けられたハンドル１２の操作に連動して、各端末ロック部材２１に連結されたロックバー２５を扉３２の背面の側部に沿って進退運動することにより、各端末ロック部材２１を筐体側の受け部３１２に係合離脱するようにしたが、扉の背面の三辺、すなわち回動側の側部とこの側部を含む当該側部に隣り合う端部の複数個所に端末ロック部材２１を配置して、扉３２の正面に取り付けられたハンドル１２の操作に連動して、各端末ロック部材２１に連結されたロックバー２５を扉３２の背面の側部及びこの側部に隣り合う端部に沿って進退運動することにより、各端末ロック部材２１を筐体側の受け部３１２に係合離脱する形式にしてもよい。
【００３３】
また、この実施の形態では、扉用ロックハンドル１について、本体ケース１１、ハンドル１２をそれぞれ、上下に細長い長方形状に形成したが、この形状は設計上、任意に変更可能であることは言うまでもない。また、作動レバー１３をハンドル１２と一体に形成したが、これを別体として、ハンドル１２の軸１２１に（ハンドル１２に対して所定の角度を設定して）取り付けてもよい。また、ロックレバー１４を既述のような形状としたが、このロックレバー１４は扉３２の背面の側部にハンドル１２の軸１２１に対して直角の軸１４０を介して枢支され、当該軸１４０の周りを、ロックレバー１４の一方の側部が作動レバー１３に向けて他方の側部が筐体側の受け部３１２に向けて回り込み回動可能で、筐体側の受け部３１２に対して迫り合い係合する構造であればよく、その形状は任意である。また、ハンドル１２のストッパー１５を既述のような形式としたが、特にこの形式に限定するものではなく、ハンドル１２を所定の倒伏位置に保持することができれば、既存の平面型ハンドルに採用される他の形式に変更しても勿論かまわない。また、扉３２の正面の側部（本体ケース１１）にストッパー１５をロックする錠前ユニット１５４を設け、ストッパー１５の動きをロックして、ハンドル１２を所定の倒伏位置にロックするようにしたが、ハンドル１２それ自体をロックする錠前ユニットに代えて、ハンドル１２を所定の倒伏位置でロックするようにしてもよい。また、この扉用ロックハンドル１をアウトサイドハンドルとして例示したが、筐体３１の内部に対してインサイドに取り付けられる形式にも同様に適用することができる。
【００３４】
さらに、この実施の形態では、多点締め込みロック装置２に特別な形式の扉用ロックハンドル１を採用したが、既存の多点締め込みロック装置に採用されるハンドル装置を適用することもできる。
【符号の説明】
【００３５】
１  扉用ロックハンドル
１１  本体ケース
１１０  開口部
１１１  埋め込み部
１１２  被着部
１１３  軸・ピンホルダー
１１４  溝形形状部
１１５  軸・スライドバーホルダー
１１６  スライドバーの挿通部
１１７  軸挿通穴
１１８  軸取付穴
１１９  穴
１１９Ｐ  溝
１１Ｕ、１１Ｄ  ねじ穴
１２  ハンドル
１２１  軸
１２２  係止段部
１２３  ガイド部
１２４  軸挿通部
１３  作動レバー
１３５  取付穴
１４  ロックレバー
１４０  軸
１４１  被押圧部
１４２  押圧部
１４３  軸挿通部
１４４  コイルスプリング（ばね手段）
１５  ストッパー
１５０  軸
１５１  アーム
１５２  軸挿通穴
１５４  錠前ユニット
１５５  ロータ
１５６  ロータカム
１６  カム部材
１６１  ピン挿通穴
１７  スライドバー
１７１  取付穴
１７２  長穴
１７３  ピン
２  多点締め込み方式ロック装置
２１  端末ロック部材
２２  端末ケース
２２１  ベース
２２５  ケース本体
２２６  開口部
２２７  溝
２２８  ガイド穴
２２９  ねじ挿通穴
２３  端末スライダー
２３１  ピン挿通穴
２３２  ガイド面
２４  端末ロックレバー
２４０  軸
２４１  被押圧部
２４２  押圧部
２４３  軸挿通部
２４４  コイルスプリング（ばね手段）
２５  ロックバー
２５１  ピン（連結部）
２５２  接続プレート
２５３  ピン
２５４  保護パット
２６  ロックバーガイド
２６０  取付穴
２６１  固定部
２６２  ガイド部
３  ラック
３１  筐体
３１０  開口
３１１  側部
３１２  縁部（筐体側の受け部）
３１３  パッキング
３２  扉
３２１  側部
３２２  ハンドル取付口
３２３  取付穴
３３  水切り部
【図１】
2010196425.tif 000003
【図２】
2010196425.tif 000004
【図３】
2010196425.tif 000005
【図４】
2010196425.tif 000006
【図５】
2010196425.tif 000007
【図６】
2010196425.tif 000008
【図７】
2010196425.tif 000009
【図８】
2010196425.tif 000010
【図９】
2010196425.tif 000011
【図１０】
2010196425.tif 000012